(57)【特許請求の範囲】
【請求項１】
脱穀済排稈を短く切断しながら排出するコンバインにおいて、この細断わらの落下排出部に、株元側から穂先側へ向けて送風する送風口（１）、及び送風ガイド（２）を設けると共に、このカッター軸（３）方向に沿う排出カバー（４）の内面には、穂先側へ向けて下り傾斜で複数段違いの案内板（５）,（６）を適宜の軸方向間隔（７）を形成して配置したことを特徴とする排稈カッター。
【発明の詳細な説明】
【０００１】
【発明の属する技術分野】
この発明は、コンバインの脱穀済排稈を短く切断して排出する排稈カッターに関する。カッター軸の方向に沿って多数の円板形態の円板刃を配置したディスク形態の排稈カッターとして利用しうる。
【０００２】
【従来の技術】
排稈カッターの細断わらをコンバインの刈取走行幅にわたって拡散排出するため、ブロワー形態の拡散羽根車を設置したり、正逆回転する螺旋を設ける形態が多いが、特別の重量構成となり、煩雑化となる。
【０００３】
【発明が解決しようとする課題】
この発明は、細断わらを排出するための特別の拡散羽根車や、螺旋等を設けることなく、簡単な構成で軽量化を図るものである。従来、細断わらの落下排出行程に拡散用ファンを設ける形態では、送風や、細断わらの一部を、上方の切断部へ吹き上げて、脱穀済排稈を浮上させ切断部への繰込みを妨げたり、切断性能を低下させる。又、細断わらの穂先側への飛散集積により広幅域への拡散を難しくすることがある。
【０００４】
【課題を解決するための手段】
この発明は、脱穀済排稈を短く切断しながら排出するコンバインにおいて、この細断わらの落下排出部に、株元側から穂先側へ向けて送風する送風口１、及び送風ガイド２を設けると共に、このカッター軸３方向に沿う排出カバー４の内面には、穂先側へ向けて下り傾斜で複数段違いの案内板５,６を適宜の軸方向間隔７を形成して配置したことを特徴とする構成とする。
脱穀済排稈が排稈カッターで切断されて排出カバー４の内側に沿って排出される。この排出カバー４内を株元側の送風口１から送風ガイド２に案内されて穂先側へ吹き流される送風は、途中の案内板５,６の傾斜下面に案内されて、一部の風は間隔７部を上側へ流れるも、主流は穂先側下方へ案内される。又、落下する細断わらは一部案内板５,６の傾斜上面に案内されて間隔７部等から穂先側寄りへ落下排出される。
【０００５】
【発明の効果】
このように案内板５,６により案内される送風によって拡散される細断わらは、株元側から穂先側までのコンバインの刈取走行全幅域にわたって均等に拡散排出することができる。又、送風口１からの送風の切断部への吹き上げを防止して、円滑で効率的な排稈切断を維持することができる。
【０００６】
【発明の実施の形態】
この発明の一実施例を図面に基づいて説明する。多数の円板刃８をカッター軸３に沿って配置して、このカッター軸３に稈身を沿わせた状態で供給させて短く（略３０〜１００ミリメートル）切断する排稈カッター９は、コンバインの脱穀装置１０の脱穀排稈部で排稈装置１１の後端部に装着される。箱形状のカッターフレーム１２に前後一対の掻込軸１３とカッター軸３とを平行状に軸受けし、脱穀装置１０側の出力軸１４からベルト１５を掛けわたして伝動し、相互に反対方向へ回転するよう連動構成する。
コンバインは、クローラ１６を有する車体１７上に、刈取装置１８、及び、この刈取穀稈を受けてフィードチェン１９で搬送しながら脱穀室２０で脱穀選別させる脱穀装置１０等を搭載する。排稈装置１１はこの脱穀装置１０の後側部に配置されて、フィードチェン１９で搬送された脱穀済排稈を受け継いで後方穂先側Ｂ寄りに搬送する。この排稈装置１１の下側には排塵室２１が設けられて、株元側Ａに吸引排塵ファン２２及びこの送風口１が形成されて、脱穀選別排塵物を吸引しながら送風口１から後方へ排出することができる。
この排塵室２１の後端穂先側Ｂに設けられる取付アーム２３に、カッターフレーム１２の穂先側Ｂの開閉ピン２４を係合させて前後に回動させて開閉可能とする。又、この株元側Ａに設けたフック２５を排塵室２１側のピン２６に係合することによって、取付状態を固定したり、又開閉、乃至着脱可能とする。
【０００７】
前記排稈カッター９の下側には、細断わらの落下排出部の後側、及び左右の株元側Ａ、穂先側Ｂを覆う排出カバー４を取付ける。この排出カバー４は、板金製、合成樹脂製、乃至ゴム板製として構成、成形する。この排出カバー４の後側内面に案内板５,６を形成する。この案内板５,６は細断わら排出幅の略中央部において、上部に案内板５を下部に案内板６を位置させて、しかも株元側Ａと穂先側Ｂとにずらせて、これらの間に適宜の間隔７部を形成して、段違いに配置している。これら各案内板５,６は株元側Ａから穂先側Ｂへ向けて下り傾斜に設定し、前記株元側Ａからの送風はこれら案内板５,６の下面に沿って下方向へ案内され、上側切断部から落下される細断わらは上面に沿って下方へ案内される形態とする。
前記カッター軸３には外周縁に鋸刃状の刃縁を形成する円板刃８が一定間隔に配置される。又、掻込軸１３にはスターホイル形態の掻込ロータ２７が円板刃８と接近して回転するように同間隔に配置される。カッター軸３の回転により掻込軸１３が逆回転連動されて、前記排稈装置１１から搬送されて落下される排稈を、これら回転する円板刃８と掻込ロータ２７との間に介入させて、一定の長さに切断する。前記排塵ファン２２の送風口１は、排塵室２１後端の株元側Ａにおいて、カッターフレーム１２下部の排出カバー４部に形成される。この送風口１は後側下部に向けて開口され、送風ガイド２を連設する。この送風ガイド２は、送風口１から吹き出される送風を排出カバー４内に沿って穂先側Ｂへ向けて案内するように形成される。
【０００８】
前記案内板５,６は、排出カバー４の前側内面に突出して形成され、送風ガイド２と略々同高位置に配置される。両案内板５,６は上縁が株元側寄りで下縁が穂先側寄りに位置するように傾斜させ、このうち株元側の案内板５が上部で、穂先側の案内板６が下部に位置して、しかも、この案内板５の下縁と案内板６の上縁とは、略々同高さ位置で、かつ適宜の左右横方向の間隔７に設定される。又、この間隔７部は上下方向の間隔をも有するように設定されるもよい。各案内板５,６の上縁は突出端縁に向けて下り傾斜に形成して、細断わらの滑り落ち易い形態としている。
排稈装置１１の終端から落下される排稈は、掻込ロータ２７により円板刃８との間に掻き込まれて、短く切断される。この細断わらは落下排出されるが、一部分は案内板５,６上面を滑り落ちる。この落下中に送風口１から吹き出される排塵送風によって、株元側Ａから穂先側Ｂへ吹き飛ばされて拡散落下される。このとき送風は送風ガイド２に案内されて案内板５,６の側へ案内され、これら案内板５,６の上側部や下側部、更に間隔７部等を通って、略斜め下方へ案内される。このため上方の切断部へ吹き上げられる風勢は低減され、又、案内板５,６部から穂先側Ｂへ直接吹き抜ける風勢も弱くなり、細断わらを下方へ落下案内するように傾き、株元側Ａから穂先側Ｂにわたって均等な排出わら層に拡散排出することができる。
【図面の簡単な説明】
【図１】排稈カッター部の背面図。
【図２】その側面図。
【図３】その平面図。
【図４】コンバインの側面図。
【符号の説明】
１    送風口
２    送風ガイド
３    カッター軸
４    排出カバー
５    案内板
６    案内板
７    間隔
【図１】
0003985132.tif 000002
【図２】
0003985132.tif 000003
【図３】
0003985132.tif 000004
【図４】
0003985132.tif 000005